(57)【特許請求の範囲】
【請求項１】
記録媒体に近接して配置され、照射された光により記録媒体に情報を記録するとともに記録媒体に記録された情報を再生する光ピックアップにおいて、
記録媒体上を走査させるためのスライダーには、記録媒体表面近傍にレーザ光の波長より狭い幅の微小間隙を有し、且つ、レーザ光が照射される側の表面が記録媒体表面に対して略垂直である金属部材を有し、微小間隙の近傍に照射されたレーザ光により局所的な領域に電磁場を発生させる光ヘッドと、光ヘッドの微小間隙に対して照射するレーザ光の偏光方向が記録媒体表面及び金属部材のレーザ光が照射される表面に対して平行で、照射方向が記録媒体表面に垂直な入射法線に対して傾斜させた斜入射の照射光学系とを有することを特徴とする光ピックアップ。
【請求項２】
上記光ヘッドは、レーザ光の照射によって局所的な領域に電磁場を発生させる微小間隙を、照射するレーザ光の波長より薄い誘電体を挟んで両側に配置した金属部材で形成した請求項１記載の光ピックアップ。
【請求項３】
上記誘電体を挟んだ金属部材の誘電体と接する面と反対側の面に金属部材と異なる材質の部材を接触させて配置した請求項２記載の光ピックアップ。
【請求項４】
上記微小間隙を有する光ヘッドのレーザ光が入射する面に、レーザ光が入射する面が曲面で形成された透明部材を一体化した請求項１，２又は３記載の光ピックアップ。
【請求項５】
請求項１乃至４のいずれかに記載の光ピックアップを有し、光ヘッドの微小間隙の近傍の局所的な領域に発生した電磁場により記録媒体の記録層に情報を記録することを特徴とする情報記録再生装置。
【請求項６】
上記記録媒体を透過した光を光検出器で検出して記録媒体に記録された情報を再生する請求項５記載の情報記録再生装置。
【請求項７】
上記記録媒体から光ヘッドの内部に伝搬する光を、光ヘッドを走査するためのアーム又は光ヘッドに装着された光検出器で検出して記録媒体に記録された情報を再生する請求項５記載の情報記録再生装置。
【請求項８】
上記光ヘッドの内部に伝搬する光を検出する光検出器を、光ヘッドに照射するレーザ光の主光線のレーザ光が入射する面と交差しない位置に設けた請求項７記載の情報記録再生装置。
【請求項９】
上記光ヘッドに装着された光検出器から電気信号を光ヘッド以外の場所に設けられた信号処理回路へと導くための配線を、サスペンションと一体化した請求項７又は８記載の情報記録再生装置。
【請求項１０】
上記記録媒体からの光が伝搬して光ヘッドのスライダーを透過して出射する部分に反射防止膜を形成した請求項７，８又は９に記載の情報記録再生装置。
【発明の詳細な説明】
【０００１】
【発明の属する技術分野】
この発明は、記録媒体に対して情報の記録あるいは再生、又は記録と再生の両方の動作が可能な光ピックアップ及び情報記録再生装置に関するものである。
【０００２】
【従来の技術】
光ディスク等の光メモリに対する情報の記録や再生に使用するため現在実用化されている情報記録再生装置は、光の波長と対物レンズの開口数で定まる光の回折限界にまで集光したレーザ光を記録媒体へ照射して記録層に熱的・磁気的変調を与えて情報を記録し、情報を記録した記録ピットによって変調される反射光強度および偏光を検出して情報の再生を行っている。この情報記録再生装置を使用した場合、光メモリの記録密度は光の回折限界で決定されてしまい、近年のコンピュータ等の情報機器を取り巻く情報量の増大に対応していくためには限度があり、光の回折限界を超えるような記録密度を達成する大容量光メモリが要求されている。
【０００３】
このような大容量光メモリとして有望視されているものとして、近接場光を用いて情報の記録と再生を行ういわゆる近接場光を利用した情報記録再生装置が、例えば特開平５−２５０７０８号公報や特開平１１−２５９９０２号公報，特開平１１−２６５５２０号公報等に提案されている。近接場とは、屈折率の異なる２つの媒体の一方から全反射条件以上で入射した光が、反射境界面ですべて反射されるが、一部境界面を越え非伝播の電磁場成分のみが染み出した領域ができ、この非伝播の電磁場領域のことをいう。この近接場は、入射する光の波長よりも微小な開口近傍にのみ染み出し、開口寸法とほぼ同じ程度しか横方向の広がりを持たないといわれている。そのため、開口寸法を小さくすることにより、光の回折限界を超えた解像度を得ることができる。
【０００４】
この近接場光プローブを使用した情報記録再生装置は、図１９に示すように半導体レーザ素子（ＬＤ）４１から出射されたレーザ光はコリメータレンズ４２により平行光となり、この光は偏光ビームスプリッタ４３と１／４波長板４４を透過した後、対物レンズ４５で集光されて近接場光プローブ４６に照射される。近接場光プローブ４６は、ガラス基板等の透光性基板上に透光性基板より屈折率の高いシリコン等の高屈折材料で形成された円錐台形状の突起部を設け、この側面を金や銀あるいはアルミなどの金属でコーティングして構成される。そして対物レンズ４５で集光された光は近接場光プローブ４６の先端で微小なサイズの近接場光に変換される。この変換された近接場光により記録媒体４７の近接場光プローブ４６と対向する面に設けられた記録層４８に情報を記録し、対物レンズ４５で集光させただけの場合より高密度な記録を実現することができる。また記録媒体４７に記録された情報を再生するときは、記録層３８から反射した光が対物レンズ４５と１／４波長板４４を通り、偏光ビームスプリッタ４３で反射し、集光レンズ４９により光検出器５０に集光し、光検出器５０により光強度が検出され情報を再生する。
【０００５】
【発明が解決しようとする課題】
一般に、近接場光を発生させるための近接場光プローブでは、近接場の発生領域を小さくすることと強度を上げることを両立させることは原理的に困難である。また、近接場光プローブを作製するためには、半導体プロセスに匹敵する高精度な加工プロセスや組付け作業などを必要とするという短所がある。
【０００６】
この発明は係る短所を改善し、比較的簡単な構造で、記録媒体上の回折限界以下の微小領域に強力な電磁場を発生させ、そこでの電磁相互作用を通じて高密度に情報を記録するとともに記録した情報を良好に再生することができる光ピックアップ及び情報記録再生装置を提供することを目的とするものである。
【０００７】
【課題を解決するための手段】
この発明に係る光ピックアップは、記録媒体に近接して配置され、照射された光により記録媒体に情報を記録するとともに記録媒体に記録された情報を再生する光ピックアップにおいて、記録媒体上を走査させるためのスライダーには、記録媒体表面近傍にレーザ光の波長より狭い幅の微小間隙を有し、且つ、レーザ光が照射される側の表面が記録媒体表面に対して略垂直である金属部材を有し、微小間隙の近傍に照射されたレーザ光により局所的な領域に電磁場を発生させる光ヘッドと、光ヘッドの微小間隙に対して照射するレーザ光の偏光方向が記録媒体表面及び金属部材のレーザ光が照射される表面に対して平行で、照射方向が記録媒体表面に垂直な入射法線に対して傾斜させた斜入射の照射光学系とを有することを特徴とする。
【０００８】
上記光ヘッドは、レーザ光の照射によって局所的な領域に電磁場を発生させる微小間隙を、照射するレーザ光の波長より薄い誘電体を挟んで両側に配置した金属部材で形成して、所望の微小間隙を容易に作製する。
【０００９】
また、誘電体を挟んだ金属部材の誘電体と接する面と反対側の面に金属部材と異なる材質の部材を接触させて配置し、微小間隙が記録媒体に接触して破損することを防ぐ。
【００１０】
さらに、微小間隙を有する光ヘッドのレーザ光のレーザ光が入射する面に、レーザ光が入射する面が曲面で形成された透明部材を一体化して、微小間隙の領域に集光するレーザ光の集光スポットをより小さくし、レーザ光のエネルギを有効に利用する。
【００１１】
この発明に係る情報記録再生装置は、上記光ピックアップを有し、光ヘッドの微小間隙の近傍の局所的な領域に発生した電磁場により記録媒体の記録層に情報を記録して、情報を高密度に記録することを特徴とする。
【００１２】
上記記録媒体を透過した光を光検出器で検出して記録媒体に記録された情報を再生したり、記録媒体から光ヘッドの内部に伝搬する光を、光ヘッドを走査するためのアーム又は光ヘッドに装着された光検出器で検出して記録媒体に記録された情報を再生し、高密度で記録された情報を安定して再生する。
【００１３】
また、光ヘッドの内部に伝搬する光を検出する光検出器を、光ヘッドに照射するレーザ光の主光線のレーザ光が入射する面と交差しない位置に設け、再生した情報だけを含む光を光検出器に入射し、情報再生のＳ／Ｎを向上させる。
【００１４】
さらに、光ヘッドに装着された光検出器から電気信号を光ヘッド以外の場所に設けられた信号処理回路へと導くための配線をサスペンションと一体化して、サスペンションの動きが損なわれることを防ぐ。
【００１５】
また、記録媒体からの光が伝搬して光ヘッドのスライダーを透過して出射する部分に反射防止膜を形成し、記録媒体の情報を含む光を効率良く光検出器に入射させる。
【００１６】
【発明の実施の形態】
図１はこの発明の情報記録再生装置の構成図である。図に示すように、情報記録再生装置１は、ガラスやポリカーボネイトなどの透明基板２上に相変化材料などで記録層３を設けた円形の記録媒体４を図示しないスピンドルモータで回転させた状態で記録媒体４に情報を記録したり再生するものであり、アーム５にサスペンション６を介して取り付けられた光ヘッド７と、光ヘッド７に記録、再生用のレーザ光を照射する光学系８と、記録媒体４の透明基板２側に配置されたアーム９に設けられ、記録媒体４の透過散乱光を受光するフォトダイオード等からなる光検出器１０を有し、光ヘッド７を、回転している記録媒体４の記録層３に対して波長以下の距離まで近接させて配置している。
【００１７】
アーム５は、記録媒体４に対する光ヘッド７の浮上量を安定させるサスペンション６を介して光ヘッド７を支持するとともに、図示しない駆動機構によって光ヘッド７を記録媒体４上で位置決めして走査させる。光ヘッド７は、ガラスや合成樹脂などで形成されたスライダー１１のｙｚ面に平行な側面に、例えば金や銀、アルミなどで形成された厚さが50〜300ｎｍ程度の金属面１２を有する。この光ヘッド７の金属面１２は、図２の側面図と図３の斜視図に示すように、記録媒体４の記録層３に近接する部分を細くして３角形状の溝１２ａを有する。この３角形状の溝１２ａの記録層３に近接する端部の間隙１２ｂの幅ｄは、照射するレーザ光の波長の１／５などと充分小さくなるように形成されている。
【００１８】
光学系８はアーム５上に配置された半導体レーザ素子からなる光源１３とコリメートレンズ１４及び凹面反射鏡１５を有し、光源１３から出射した例えば波長405ｎｍのレーザ光１６をコリメートレンズ１３と凹面反射鏡１５及びアーム５に設けた透過穴１７を介して光ヘッド７の金属面１２の記録媒体４表面に最も近い端部の金属面１２の微小間隙１２ｂの近傍に集光して照射する。この光ヘッド７に照射するレーザ光１６は、記録媒体４の表面に対して平行な方向、すなわち図２,図３においてＹ方向に偏光方向（電界の振動方向）を持つようにしている。また、照射方向は光ヘッド７を上方から見たときに、金属面１２に垂直となっている。光検出器１０は、アーム５と連動して動作するアーム９に取り付けられており、常に記録媒体４を挟んで光ヘッド７と反対側に位置するようになっている。
【００１９】
この情報記録再生装置１で記録媒体４に情報を記録するときは、光源１３から放射されたレーザ光１６をコリメートレンズ１３と凹面反射鏡１５及びアーム５に設けた透過穴１７を介して、図４に示すように、光ヘッド７の金属面１２の記録媒体４の表面に最も近い微小間隙１２ｂの近傍１８に集光して照射する。この金属面１２の微小間隙１２ｂの近傍１８に偏光させたレーザ光１６が照射されると、金属の導電性によって、微小間隙１２ｂを隔てた金属面１２の先端部１２ｃと１２ｄの間に電界が集中して局所的に強い電磁場１９が発生する。この電磁場１９は、光ヘッド７に近接する記録層３における照射レーザ光１６の回折以下の微小領域、すなわち、レーザ光１６を対物レンズで集光させた場合よりも小さな領域に電磁場のエネルギを与える。したがって記録層３に例えば相変化材料を用いた場合などにおいては、記録層３に加わる電磁場のエネルギによって局所的に加熱されて相変化を生じ、記録マークが形成される。この記録層３の加熱は、レーザ光１６を対物レンズで集光して記録媒体４に直接照射する従来の光メモリ装置より局所的に行われるので、形成する記録マークも従来の光メモリ装置よりも微小にすることができな高密度な記録を行うことができる。
【００２０】
また、記録媒体４に記録された情報を再生するときは、光源１３から放射されたレーザ光１６を光ヘッド７の金属面１２の微小間隙１２ｂの近傍１８に照射する。このレーザ光１６の照射により生じた電磁場１９と記録層３の記録マークと電磁相互作用して強度や偏光の変化を受けた後に記録媒体４を透過する側へ伝搬する光を光検出器１０で検出することにより、記録媒体４に記録された情報を再生する。
【００２１】
このように情報記録再生装置１を構成することにより、従来のＣＤやＤＶＤより高密度で記録媒体４に情報を記録するとともに記録媒体４に記録した情報を再生することができる。
【００２２】
上記説明では記録媒体４の記録層３として相変化材料を用いた場合について示したが、相変化材料に限らず電磁場のエネルギを局所的に与えることによって記録または再生することが可能な材料であればいかなる材料であっても良い。また、レーザ光１６を集光して光ヘッド７に照射する光学系８に凹面鏡１５を使用した場合について説明したが、図５の構成図に示すように、反射ミラー２０と対物レンズ２１を組み合わせてレーザ光１６を集光して光ヘッド７に照射するようにしても良い。
【００２３】
また、光ヘッド７の金属面１２に３角形状の溝１２ａを形成して記録媒体４の記録層３に近接する端部に微小間隙１２ｂを形成した場合について説明したが、図６の（ａ）に示すように、金属面１２に微小スリット１２ｅを形成してレーザ光１６の波長以下の幅を有する微小間隙１２ｂを形成したり、（ｂ）に示すように、金属面１２の記録層３に近接する端部に角溝１２ｆを形成したり、（ｃ）に示すように、円形溝１２ｇを形成して微小間隙１２ｂを形成するようにしても良い。
【００２４】
また、図７の斜視図と図８の側面図の（ａ）に示すように、光ヘッド７のレーザ光１６が入射する側面と直交するスライダー１１の側面のＸＺ面に金や銀，アルミなど金属膜２２と酸化ケイ素や窒化ケイ素などの誘電体膜２３を交互に堆積させて、レーザ光１６が入射するＹＺ面の金属面１２に微小間隙１２ｂを形成するようにしても良い。この場合は誘電体膜２３の厚さにより微小間隙１２ｂの幅ｄを制御することができるので、微小間隙１２ｂを溝により形成する場合と比べて金属面１２の微細加工を必要とせず、微小間隙１２ｂを容易に作製することができるとともに、例えば微小間隙１２ｂの幅ｄを0.1μｍ以下に形成するような場合においては、所定の幅ｄの微小間隙１２を高精度に作製することができる。
【００２５】
さらに、図８（ｂ）に示すように、誘電体膜２３の外側に堆積された金属膜２２に誘電体層２４を積層しても良い。このように金属膜２２の外面に誘電体層２４を形成した光ヘッド７においては、記録媒体４を回転させて光ヘッド７で走査しているときに、記録媒体４の面ぶれなどや光ヘッド７の傾きによって、図９に示すように、光ヘッド７が記録媒体４の表面と接触した場合、光ヘッド７の誘電体層２４が記録媒体４に接触し、金属面１２や微小間隙１２ｂは記録媒体４に接触しないですむから、微小間隙１２ｂの部分に損傷が生じることを防ぐことができる。したがって光ヘッド７の耐久性を向上させることができる。
【００２６】
また、各種の溝や金属膜２２と誘電体膜２３を交互に堆積して形成した微小間隙１２ｂを有する光ヘッド７のレーザ光１６のレーザ光が入射する面に、図１０の構成図と図１１の斜視図に示すように、ガラスや透明樹脂でレーザ光が入射する面が球面で形成された透明部材２５を設け、透明部材２５を介してレーザ光１６を微小間隙１２ｂの近傍に入射するようにしても良い。この透明部材２５の球面を例えば１／４球面形状として、球面部分に入射するレーザ光の波面が球面とほぼ一致するように入射させた場合には、凹面反射鏡１５だけで集光した場合よりも透明部材２５の屈折率分だけ開口数の値を高くすることができ、光ヘッド７の微小間隙１２ｂの近傍に入射する集光スポットの大きさを小さくすることができる。したがって、微小間隙１２ｂにパワー密度が高くてより局所的な電磁場を発生させることができ、記録密度をより向上させることができる。
【００２７】
上記説明では透明基板２上に記録層３を設けた記録媒体４を使用し、記録媒体４に記録した情報を再生するとき、記録媒体４を透過した光を検出して記録情報を再生する場合について説明したが、図１２の構成図に示すように、透明基板２と記録層３の間に金や銀あるいはアルミなどの金属膜３０を設けた記録媒体４ａの場合も、記録媒体４ａからの反射光を利用して再生することができる。この記録媒体４ａに情報を記録し、記録した情報を再生する情報記録再生装置１ａは、図１２に示すように、光検出器１０を、光ヘッド７をサスペンション６を介して取り付けたアーム５に光ヘッド７と対向して設けたこと以外は情報記録再生装置１と全く同じ構成である。光検出器１０はアーム５に沿って設けられた配線３１により信号処理回路の増幅回路に接続されている。
【００２８】
この情報記録再生装置１ａで記録媒体４ａに情報を記録するときは、前記情報記録再生装置１で記録媒体４に情報を記録するときと全く同じ動作で情報を記録する。記録媒体４ａに記録された情報を再生するときは、光源１３から放射されたレーザ光１６を光ヘッド７の金属面１２の微小間隙１２ｂの近傍に照射する。このレーザ光１６の照射により生じた電磁場１９と記録層３の記録マークと電磁相互作用により強度や偏光の変化を受けた後に記録媒体４から反射した光は光ヘッド７の内部へ伝搬し、この伝搬した光の強度をアーム５に設けた光検出器１０で検出して、記録媒体４ａに記録された情報を再生する。このように光ヘッド７をサスペンション６を介して取り付けたアーム５に光検出器１０を設けることにより、光ヘッド７を記録媒体４ａに対して走査したときに、光検出器１０は光ヘッド７と同期して動くから、光ヘッド７と光検出器１０の走査機構を簡略化することができる。
【００２９】
このように記録媒体４ａで反射した再生用の光を光ヘッド７を透過させて光検出器１０で検出する場合、金属膜２２と誘電体膜２３を交互に堆積して形成した微小間隙１２ｂを有する光ヘッド７を使用した場合、凹面反射鏡１５で反射して光ヘッド７の微小間隙１２ｂの近傍に集光して照射した光の一部は、記録媒体４ａの表面で反射したり、あるいは金属膜２２の側面で反射・散乱して放射状に伝播する。一方、微小間隙１２ｎの近傍に集光・照射されることによって発生する局所的な電磁場は、記録層３中の記録マークによって変調を受けた後、微小間隙１２ｂの部分を中心に球面状に反射・散乱される。したがって凹面反射鏡１５で集光するレーザ光の集光スポットの波面に垂直で最も強度の強い位置を通る軸である中心軸の位置に光検出器１０を配置した場合、光検出器１０は記録マークからの反射・散乱光とともに、再生したい情報と無関係な光を一緒に検出してしまい、再生信号のＳ／Ｎが低下してしまう。そこで、図１３に示すように、光検出器１０をレーザ光の集光スポットの波面に垂直で最も強度の強い位置を通る中心軸を通る面と交差しない位置に配置し、再生情報と無関係な光を受光しないようにして再生信号を含む光だけを検出するようにして再生信号のＳ／Ｎを高める。
【００３０】
また、記録媒体４ａで反射した光が透過する光ヘッド７の透過した光の出射面に反射防止膜３２を設け、記録情報を反映した光が光ヘッド７から出射するときの内部反射や散乱を防止すると良い。この反射防止膜３２としては、例えば光ヘッド７のスライダー１１の材料として屈折率が１．５のガラスを使用し、照射レーザ光の波長が４０５ｎｍ、記録マークから光検出器１０へ向かって伝搬する再生信号を含む光の最も強度の強い光線である主光線が反射防止膜３２に対して４５度の入射角で入射される場合には、１０５ｎｍ程度の厚さを有したフッ化マグネシウムの膜で形成すれば良い。このように光ヘッド７に反射防止膜３２を設けることにより、記録情報を反映した光が光ヘッド７を透過するときの内部反射や散乱を防止を低減して光検出器１０に入射する光量を増加することができ、検出した光強度信号を電気信号に変換した後のＳ／Ｎを向上して良好な再生を行うことができる。
【００３１】
また、光検出器１０をアーム５に設けずに、図１５に示すように、光ヘッド７に直接設けても良い。このように光検出器１０を光ヘッド７に設けることにより、記録媒体４ａを回転させたときの面ぶれなどに追従することによってアーム５と光ヘッド７との距離が変化するような場合でも、光ヘッド７の微小間隙１２ｂや記録媒体４ａと光検出器１０との位置関係を一定に保持することができ、安定した再生動作を行うことができる。
【００３２】
また、金属膜２２と誘電体膜２３を交互に堆積して形成した微小間隙１２ｂを有する光ヘッド７を使用した場合、光ヘッド７に設けた光検出器１０で記録マークからの反射・散乱光や再生したい情報と無関係な光を再生信号を含む光と一緒に検出することを防ぎ、再生信号を含む光だけを検出するために、図１６に示すように、光検出器１０を記録媒体４の表面に対して垂直となる光ヘッド７の側面に設けると良い。
【００３３】
このように光検出器１０を光ヘッド７に設けた場合、光検出器１０からの配線３１をサスペンション６とは別にアーム５に連結すると、記録媒体４ａ上で光ヘッド７を走査させたときに光ヘッド７と記録媒体４ａとの距離や光ヘッド７の姿勢を一定に保つサスペンション６の働きに不具合が発生する。これを防ぐために、図１７（ａ）の側面図と（ｂ）の平面図に示すように、光検出器１０の配線３１をサスペンション６に設けた連結配線３３に接続する。このように配線３１をサスペンション６に設けた連結配線３３接続することにより、サスペンション６の働きに不具合が発生することを防ぎ、安定した光ヘッド７の走査を実現することができる。
【００３４】
さらに、光源１３の半導体レーザ素子の駆動回路を、図１８の回路図に示すように、交流電源３４とコンデンサ３５に対して並列に直流電源３６を設け、直流電源３６は、交流電源３４によって光源１３の半導体レーザ素子に流れる電流が変調されたときに、半導体レーザ素子に流れる電流が常に発振するための閾値電流以上になるように設定しておく。また、交流電源３４による変調周波数は、例えば記録情報の再生が３０Ｍｂｐｓ（１秒間に３０メガビットのデータを読み出す速度）で行われる場合には、これより充分高速な８００ＭＨｚの周波数に設定して半導体レーザ素子を強度変調させる。これにより光ヘッド７と記録媒体４の表面の境界付近から光源１３への戻り光があった場合においても発光強度を一定に保つことができ、安定した記録・再生動作を行うことができる。
【００３５】
【発明の効果】
この発明は以上説明したように、記録媒体上を走査させるためのスライダーに設けられ、記録媒体表面近傍にレーザ光の波長より狭い幅の微小間隙を有し、且つ、レーザ光が照射される側の表面が記録媒体表面に対して略垂直である金属部材を有し、微小間隙の近傍に照射されたレーザ光により局所的な領域に電磁場を発生させる光ヘッドと、光ヘッドの微小間隙に対して照射するレーザ光の偏光方向が記録媒体表面及び金属部材のレーザ光が照射される表面に対して平行で、照射方向が記録媒体表面に垂直な入射法線に対して傾斜させた斜入射の照射光学系とで光ピックアップを構成することにより、レーザ光のエネルギを効率よく利用して局在化した電磁場を発生させ、この電磁場を利用して記録と再生を行うことにより、簡単な構成で従来にない高密度な記録を実現することができる。
【００３６】
また、光ヘッドのレーザ光の照射によって局所的な領域に電磁場を発生させる微小間隙を、照射するレーザ光の波長より薄い誘電体を挟んで両側に配置した金属部材で形成することにより、所望の微小間隙を容易に作製することができる。
【００３７】
また、誘電体を挟んだ金属部材の誘電体と接する面と反対側の面に金属部材と異なる材質の部材を接触させて配置することにより、微小間隙が記録媒体に接触して破損することを防ぐことができる。
【００３８】
さらに、微小間隙を有する光ヘッドのレーザ光のレーザ光が入射する面に、レーザ光が入射する面が曲面で形成された透明部材を一体化することにより、微小間隙の領域に集光するレーザ光の集光スポットをより小さくすることができ、レーザ光のエネルギを有効に利用して安定した記録を行うことができる。
【００３９】
また、光ヘッドの微小間隙の近傍の局所的な領域に発生した電磁場により記録媒体の記録層に情報を記録することにより、記録媒体に情報を高密度で安定して記録すること画できる。
【００４０】
また、記録媒体を透過した光を光検出器で検出して記録媒体に記録された情報を再生したり、記録媒体から光ヘッドの内部に伝搬する光を、光ヘッドを走査するためのアーム又は光ヘッドに装着された光検出器で検出することにより、簡単な構成で記録媒体に高密度で記録された情報を安定して再生することができる。
【００４１】
また、光ヘッドの内部に伝搬する光を検出する光検出器を、光ヘッドに照射するレーザ光の主光線のレーザ光が入射する面と交差しない位置に設け、再生した情報だけを含む光を光検出器に入射することにより、情報再生のＳ／Ｎを向上させることができる。
【００４２】
さらに、光ヘッドに装着された光検出器から電気信号を光ヘッド以外の場所に設けられた信号処理回路へと導くための配線をサスペンションと一体化することにより、サスペンションの動きが損なわれることを防ぎ、記録媒体に対する情報の記録と再生を安定して行うことができる。
【００４３】
また、記録媒体からの光が伝搬して光ヘッドのスライダーを透過して出射する部分に反射防止膜を形成し、記録媒体の情報を含む光を効率良く光検出器に入射させて、良好な記録情報の再生を実現することができる。
【図面の簡単な説明】
【図１】この発明の情報記録再生装置の構成図である。
【図２】光ヘッドの微小間隙を示す側面図である。
【図３】光ヘッドの構成を示す斜視図である。
【図４】光ヘッドの微小間隙に生じた電磁場を示す模式図である。
【図５】第２の情報記録再生装置の構成図である。
【図６】各種の溝で形成された微小間隙を示す側面図である。
【図７】誘電体を挟んだ金属部材で微小間隙を形成した光ヘッドの斜視図である。
【図８】誘電体を挟んだ金属部材で形成した微小間隙を示す側面図である。
【図９】光ヘッドが記録媒体と接触した状態を示す模式図である。
【図１０】第３の情報記録再生装置の構成図である。
【図１１】レーザ光が入射する面に曲面を有する透明部材が設けられた光ヘッドの斜視図である。
【図１２】記録媒体の反射光を利用して再生する情報記録再生装置の構成図である。
【図１３】光ヘッドに対する光検出器の配置位置を示す模式図である。
【図１４】反射防止膜を設けた光ヘッドを有する情報記録再生装置の構成図である。
【図１５】光検出器を取付けた光ヘッドを有する情報記録再生装置の構成図である。
【図１６】誘電体を挟んだ金属部材で微小間隙を形成した光ヘッドに取付けた光検出器の配置図である。
【図１７】光ヘッドに取付けた光検出器の配線を示す構成図である。
【図１８】光源の駆動回路を示す回路図である。
【図１９】従来例の構成図である。
【符号の説明】
１；情報記録再生装置、２；透明基板３；記録層、４；記録媒体、
５；アーム、６；サスペンション、７；光ヘッド、８；光学系、
９；アーム、１０；光検出器、１１；スライダー、１２；金属面、
１２ｂ；微小間隙、１３；光源、１４；コリメートレンズ、
１５；凹面反射鏡、１６；レーザ光。
【図１】
0003973884.tif 000002
【図２】
0003973884.tif 000003
【図３】
0003973884.tif 000004
【図４】
0003973884.tif 000005
【図５】
0003973884.tif 000006
【図６】
0003973884.tif 000007
【図７】
0003973884.tif 000008
【図８】
0003973884.tif 000009
【図９】
0003973884.tif 000010
【図１０】
0003973884.tif 000011
【図１１】
0003973884.tif 000012
【図１２】
0003973884.tif 000013
【図１３】
0003973884.tif 000014
【図１４】
0003973884.tif 000015
【図１５】
0003973884.tif 000016
【図１６】
0003973884.tif 000017
【図１７】
0003973884.tif 000018
【図１８】
0003973884.tif 000019
【図１９】
0003973884.tif 000020